(57)【要約】【課題】測定方式を適切に制御することができること。【解決手段】撮像装置１は、撮影処理部５１と、状態移行判別処理部５３と、表示制御部５２と、を備える。撮影処理部５１は、自動フォーカス調整又は自動露出調整のための測定方式を特定する。状態移行判別処理部５３は、特定した測定方式が、撮像画像内の限定した測定範囲に対して測定を行うスポット測定である場合に、所定の条件を満たすか否かに応じて、ライブビュー画像を表示している状態から、当該限定した測定範囲を変更可能とする状態へ移行が必要であるか否かを判別する。表示制御部５２は、移行が必要であると判別された場合に、限定した測定範囲を変更可能とする状態へ移行する処理を行う。【選択図】図２
2015211296.tif 000002
【特許請求の範囲】
【請求項１】
自動フォーカス調整又は自動露出調整のための測定方式を特定する測定方式特定手段と、
前記特定した測定方式が、撮像画像内の限定した測定範囲に対して測定を行うスポット測定である場合に、所定の条件を満たすか否かに応じて、ライブビュー画像を表示している状態から、当該限定した測定範囲を変更可能とする状態へ移行が必要であるか否かを判別する判別手段と、
移行が必要であると判別された場合に、前記限定した測定範囲を変更可能とする状態へ移行する処理を行う状態移行手段と、
を備えることを特徴とする撮像装置。
【請求項２】
前記測定範囲を変更可能とする状態における当該測定範囲を変更する変更手段を更に備えることを特徴とする請求項１に記載の撮像装置。
【請求項３】
前記ライブビュー画像を表示している状態において、前記限定した測定範囲が所定の初期位置に配置され、
前記変更手段は、前記初期位置に配置された前記限定した測定範囲を変更する、
ことを特徴とする請求項２に記載の撮像装置。
【請求項４】
前記所定の条件は、前記変更手段で使用される操作子と共通の操作子の操作が行なわれたか否かであって、
前記判別手段は、前記操作子と共通の操作子の操作が行なわれた場合に、移行が必要であると判別する、
ことを特徴とする請求項２又は３に記載の撮像装置。
【請求項５】
ライブビュー画像を表示している状態において、特定した前記測定方式により自動フォーカス調整又は自動露出調整を行う調整手段を更に備え、
前記所定の条件は、調整した前記自動フォーカス調整の結果又は前記自動露出調整の結果から、前記測定範囲が所定の撮影対象を捕捉していないと推測されるか否かであって、
前記判別手段は、前記測定範囲が前記所定の撮影対象を捕捉していないと推測される場合に、移行が必要であると判別する、
ことを特徴とする請求項１乃至３のいずれか１項に記載の撮像装置。
【請求項６】
前記所定の撮影対象は、夜間における輝度値の高い物体であって、
前記判別手段は、前記測定範囲における前記自動フォーカス調整の結果が不定である、又は前記自動露出調整の結果が所定の輝度値未満であると判別された場合に、前記所定の撮影対象を捕捉していないと推測し、移行が必要であると判別する、
ことを特徴とする請求項５に記載の撮像装置。
【請求項７】
前記測定範囲を変更可能とする状態において、前記所定の撮影対象を検出する検出手段を更に備え、
前記調整手段は、前記検出手段によって検出された位置に前記測定範囲を変更する、
ことを特徴とする請求項５又は６に記載の撮像装置。
【請求項８】
所定の撮影対象に適切な撮影条件が設定される撮影シーンと前記測定方式とが予め対応付けて記憶されている測定方式記憶手段を更に備え、
前記測定方式特定手段は、前記撮影シーンが特定された場合に、前記特定された撮影シーンに応じて、記憶されている前記測定方式を特定する、
ことを特徴とする請求項１乃至７のいずれか１項に記載の撮像装置。
【請求項９】
撮影実行時における測定範囲の位置を記憶する位置記憶手段を更に備え、
次回の撮影時の測定範囲の初期位置を、前記位置記憶手段に記憶されている前記位置とする、
ことを特徴とする請求項１乃至８のいずれか１項に記載の撮像装置。
【請求項１０】
所定の撮影対象に適切な撮影条件が設定される撮影シーンを特定する撮影シーン特定手段と、
フォーカス調整又は露出調整ための測定方式が、撮像画像内の限定した測定範囲に対して測定を行うスポット測定である場合に、ライブビュー画像を表示している状態から、当該限定した測定範囲を変更可能とする状態へ、特定した前記撮影シーンに応じて、手動で移行するか又は自動で移行するかの移行方式を判別する判別手段と、
前記判別手段による判別結果に応じて、前記限定した測定範囲を変更可能とする状態へ移行する処理を行う状態移行手段と、
を備えることを特徴とする撮像装置。
【請求項１１】
前記撮影シーン、前記測定方式と前記移行方式とが予め対応付けて記憶されている移行方式記憶手段を更に備え、
前記判別手段は、前記撮影シーン特定手段により特定した前記撮影シーンに応じて、記憶されている移行方式を判別する、
を備えることを特徴とする請求項１０に記載の撮像装置。
【請求項１２】
撮像装置で実行される撮像方法であって、
自動フォーカス調整又は自動露出調整のための測定方式を特定する測定方式特定ステップと、
特定した測定方式が、撮像画像内の限定した測定範囲に対して測定を行うスポット測定である場合に、所定の条件を満たすか否かに応じて、ライブビュー画像を表示している状態から、当該限定した測定範囲を変更可能とする状態へ移行が必要であるか否かを判別する判別ステップと、
移行が必要であると判別された場合に、前記限定した測定範囲を変更可能とする状態へ移行する処理を行う状態移行ステップと、
を含むことを特徴とする撮像方法。
【請求項１３】
撮像装置を制御するコンピュータを、
自動フォーカス調整又は自動露出調整のための測定方式を特定する測定方式特定機能と、
特定した測定方式が、撮像画像内の限定した測定範囲に対して測定を行うスポット測定である場合に、所定の条件を満たすか否かに応じて、ライブビュー画像を表示している状態から、当該限定した測定範囲を変更可能とする状態へ移行が必要であるか否かを判別する判別機能と、
移行が必要であると判別された場合に、前記限定した測定範囲を変更可能とする状態へ移行する処理を行う状態移行機能と、
を実行させることを特徴とするプログラム。
【請求項１４】
撮像装置で実行される撮像方法であって、
所定の撮影対象に適切な撮影条件が設定される撮影シーンを特定する撮影シーン特定ステップと、
フォーカス調整又は露出調整ための測定方式が、撮像画像内の限定した測定範囲に対して測定を行うスポット測定である場合に、ライブビュー画像を表示している状態から、当該限定した測定範囲を変更可能とする状態へ、特定した前記撮影シーンに応じて、手動で移行するか又は自動で移行するかの移行方式を判別する判別ステップと、
前記判別ステップによる判別結果に応じて、前記限定した測定範囲を変更可能とする状態へ移行する処理を行う状態移行ステップと、
を含むことを特徴とする撮像方法。
【請求項１５】
撮像装置を制御するコンピュータを、
所定の撮影対象に適切な撮影条件が設定される撮影シーンを特定する撮影シーン特定機能と、
フォーカス調整又は露出調整ための測定方式が、撮像画像内の限定した測定範囲に対して測定を行うスポット測定である場合に、ライブビュー画像を表示している状態から、当該限定した測定範囲を変更可能とする状態へ、特定した前記撮影シーンに応じて、手動で移行するか又は自動で移行するかの移行方式を判別する判別機能と、
前記判別機能による判別結果に応じて、前記限定した測定範囲を変更可能とする状態へ移行する処理を行う状態移行機能と、
を実行させることを特徴とするプログラム。
【発明の詳細な説明】
【技術分野】
【０００１】
本発明は、撮像装置、撮像方法及びプログラムに関する。
【背景技術】
【０００２】
従来より、デジタルカメラの露出制御の方式として、撮影範囲全体の明るさを平均して測光する平均測光、撮影範囲の中央を重点的に測光する中央重点測光、撮影範囲の一部分を測光するスポット測光といった測光方式が知られている。このような測光方式は、ユーザが撮影状況に応じて適宜選択しているが、選択が難しい、操作が面倒といった問題があり、特許文献１のように、撮像画像から適切な測光方式を自動的に選択する技術が開示されている。
【先行技術文献】
【特許文献】
【０００３】
【特許文献１】特開２００２−２０４３８８号公報
【発明の概要】
【発明が解決しようとする課題】
【０００４】
しかしながら、スポット測光が選択された場合に、初期設定の測光エリアが適切な測光エリアではなかったり、適切な測光エリアを自動で検出することが難しかったりという問題があった。また、フォーカス制御に関しても同様の問題がある。
【０００５】
本発明は、このような状況に鑑みてなされたものであり、測定方式を適切に制御することを目的とする。
【課題を解決するための手段】
【０００６】
上記目的を達成するため、本発明の一態様の撮像装置は、
自動フォーカス調整又は自動露出調整のための測定方式を特定する測定方式特定手段と、
前記特定した測定方式が、撮像画像内の限定した測定範囲に対して測定を行うスポット測定である場合に、所定の条件を満たすか否かに応じて、ライブビュー画像を表示している状態から、当該限定した測定範囲を変更可能とする状態へ移行が必要であるか否かを判別する判別手段と、
移行が必要であると判別された場合に、前記限定した測定範囲を変更可能とする状態へ移行する処理を行う状態移行手段と、
を備えることを特徴とする。
【発明の効果】
【０００７】
本発明によれば、測定方式を適切に制御することができる。
【図面の簡単な説明】
【０００８】
【図１】本発明の一実施形態に係る撮像装置のハードウェアの構成を示すブロック図である。
【図２】図１の撮像装置の機能的構成のうち、撮影シーン別撮影処理を実行するための機能的構成を示す機能ブロック図である。
【図３】撮影情報記憶部に記憶される撮影設定テーブルを示す図である。
【図４】出力部に表示されるスポット測定に係る表示画面の遷移を示す模式図である。
【図５】図２の機能的構成を有する図１の撮像装置が実行する撮影シーン別撮影処理の流れを説明するフローチャートである。
【図６】撮影シーン別撮影処理のうち、状態移行判別処理の流れを説明するフローチャートである。
【図７】撮影シーン別撮影処理のうち、測定範囲位置変更処理の流れを説明するフローチャートである。
【図８】撮影シーン別撮影処理のうち、撮影処理の流れを説明するフローチャートである。
【発明を実施するための形態】
【０００９】
以下、本発明の実施形態について、図面を用いて説明する。
【００１０】
図１は、本発明の一実施形態に係る撮像装置のハードウェアの構成を示すブロック図である。
撮像装置１は、例えばデジタルカメラとして構成される。
【００１１】
撮像装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１７と、出力部１８と、記憶部１９と、通信部２０と、ドライブ２１と、を備えている。
【００１２】
ＣＰＵ１１は、ＲＯＭ１２に記録されているプログラム、又は、記憶部１９からＲＡＭ１３にロードされたプログラムに従って各種の処理を実行する。
【００１３】
ＲＡＭ１３には、ＣＰＵ１１が各種の処理を実行する上において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、入力部１７、出力部１８、記憶部１９、通信部２０及びドライブ２１が接続されている。
【００１５】
撮像部１６は、図示はしないが、光学レンズ部と、イメージセンサと、を備えている。
【００１６】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１７】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号を、以下、「撮像画像のデータ」と呼ぶ。撮像画像のデータは、ＣＰＵ１１や図示しない画像処理部等に適宜供給される。
【００１８】
このように構成される撮像部１６は、ＡＦ（Ａｕｔｏ  Ｆｏｃｕｓ）及びＡＥ（Ａｕｔｏｍａｔｉｃ  Ｅｘｐｏｓｕｒｅ）の機能を有する。
【００１９】
入力部１７は、例えば、十字キーやＳＥＴキー等の各種ボタンやキー等で構成され、ユーザの指示操作に応じて各種情報を入力する。
出力部１８は、ディスプレイやスピーカ等で構成され、画像や音声を出力する。
記憶部１９は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２０は、インターネットを含むネットワークを介して他の装置（図示せず）との間で行う通信を制御する。
【００２０】
ドライブ２１には、磁気ディスク、光ディスク、光磁気ディスク、或いは半導体メモリ等よりなる、リムーバブルメディア３１が適宜装着される。ドライブ２１によってリムーバブルメディア３１から読み出されたプログラムは、必要に応じて記憶部１９にインストールされる。また、リムーバブルメディア３１は、記憶部１９に記憶されている画像のデータ等の各種データも、記憶部１９と同様に記憶することができる。
【００２１】
このように構成される撮像装置１は、測定方式を適切に制御して、撮影シーンに適した撮影を行うことができる機能を有する。また、撮像装置１は、後述するスポット測定でのフォーカス調整又は露出調整が適切な場合に、測定範囲の変更の要否を適切に判別できる機能を有する。さらに、撮像装置１は、スポット測定でのフォーカス調整又は露出調整が適切な撮影シーンである場合に、測定範囲の変更可能状態への移行を手動で行うか自動で行うかを適切に判別できる機能を有する。
【００２２】
図２は、このような撮像装置１の機能的構成のうち、撮影シーン別撮影処理を実行するための機能的構成を示す機能ブロック図である。
撮影シーン別撮影処理とは、選択された撮影シーンに応じて、フォーカスの測定及び露出の測定（測光）の測定方式を変更して撮影を行うまでの処理をいう。
【００２３】
撮影シーン別撮影処理は、図２に示すように、ＣＰＵ１１において、撮影処理部５１と、表示制御部５２と、状態移行判別処理部５３と、測定範囲位置変更処理部５４と、が機能する。
【００２４】
また、記憶部１９の一領域には、撮影情報記憶部７１と、画像記憶部７２と、が設定される。
【００２５】
撮影情報記憶部７１には、撮影シーン別の撮影に必要な情報として、撮影設定テーブルと、月の捕捉の有無を推定するためのＡＥの輝度値の閾値と、インターバル撮影時のスポット測定の測定範囲及び測定位置の情報と、測定したＡＦ値及びＡＥ値等の情報が記憶される。
【００２６】
ここで、撮影設定テーブルについて説明する。
図３は、撮影情報記憶部７１に記憶される撮影設定テーブルである。
【００２７】
撮影設定テーブルは、図３に示すように、撮影シーンと、測定方式及び移行方式とが対応付けられた撮影の設定を撮影シーン毎に行うための設定テーブルである。
【００２８】
本実施形態においては、「標準」，「風景」，「花」，「月」の撮影シーンが設けられる。「撮影シーン：標準」は、ノーマルの撮影シーンであり、「撮影シーン：風景」は、風景を撮影する場合の撮影シーンであり、「撮影シーン：花」は、花を撮影する場合の撮影シーンであり、「撮影シーン：月」は、月を撮影する場合の撮影シーンである。
【００２９】
また、撮影シーンにおいて、撮影手法が「１枚撮影」と、所定の間隔で所定の枚数撮影を行う「インターバル撮影」に分かれる。
【００３０】
測定方式は、ＡＦのための合焦の測定及びＡＥのための測光（露出の測定）の手法を定めたものであり、本実施形態においては、中央付近を測定する「中央重点」、全体を平均的に測定する「平均」、一部の特定のエリアを測定する「スポット」に分かれる。
【００３１】
移行方式は、スポットの測定方式において、測定範囲と測定位置を変更する画面（以下、「測定範囲位置変更画面」という。）へ、手動で移行する（「移行方式：手動」）か、又は自動で移行する（「移行方式：自動」）か、を定めたものである。
【００３２】
撮影設定テーブルでは、具体的には、「撮影シーン：標準」では、「１枚撮影／インターバル撮影」共に、「測定方式：中央重点」となる。また、「撮影シーン：風景」では、「１枚撮影／インターバル撮影」共に、「測定方式：平均」となる。また、「撮影シーン：花」では、「１枚撮影／インターバル撮影」共に、「測定方式：スポット」となり、「移行方式：手動」となる。また、「撮影シーン：月」では、「１枚撮影／インターバル撮影」共に、「測定方式：スポット」となり、「移行方式：自動」となる。
【００３３】
なお、「撮影シーン：花」を、「移行方式：手動」としたのは、自動で花の検出が困難であるためユーザに花の位置を判断してもらうことが好ましいという理由からである。
【００３４】
また、「撮影シーン：月」を、「測定方式：スポット」としたのは、機器の仕様等からフォーカスを無限遠に固定できずＡＦにより設定する必要があるものがあり、さらに、月の手前に月よりも明るい被写体（例えば、街灯等）がある場合に、月の判別が困難になるため、月に範囲を限定する必要があるという理由からである。また、ＡＥについても、全体から判断して黒い部分に露出を合わせてしまうと月の表面が潰れて、月の模様が出ないため、月に範囲を限定する必要がある。
【００３５】
ここで、移行方式を伴うスポット測定における表示画面の遷移について説明する。
図４は、出力部１８に表示されるスポット測定に係る表示画面の遷移を示す模式図である。
なお、本例は、「撮影シーン：月」（「測定方式：スポット」・「移行方式：自動」）の場合について説明する。
【００３６】
まず、撮像部１６から逐次出力される撮像画像のデータを出力部１８で表示するライブビュー画面において、ライブビュー画面に重畳的に現在の測定範囲と測定位置が表示される。図４（ａ）の例では、画面の左下に月Ｈが位置しており、中央に現在の測定するエリアＲ１（以下、「測定エリアＲ１」ともいう。）が示すように、測定位置が中央で、測定範囲がエリア１つ分となっている。なお、本実施形態においては、全ての選択可能エリアは、縦５×横５の合計２５のエリアからなる。また、測定エリアＲ１は、本実施形態においては、１つ分としたが複数のエリアが選択可能に構成される。
【００３７】
このような状態において、測定エリアＲ１で測定を行って月Ｈの捕捉を行い、月Ｈが捕捉できない場合には、自動的に、測定範囲位置変更画面へ移行するように構成される。即ち、図４（ａ）のライブビュー画面から図４（ｂ）の測定範囲位置変更画面へ移行する。
【００３８】
図４（ｂ）に示す測定範囲位置変更画面では、測定予測エリアとして選択が可能なエリアＲ２（以下、「選択可能エリアＲ２」）が現在の測定エリアＲ１と共に表示される。
測定範囲位置変更画面においては、十字キーの［＜（左）］［＞（右）］［∧（上）］［∨（下）］で、選択可能エリアＲ２のうちの所定のエリアを測定エリアＲ１として選択でき、［ＳＥＴ］キーで、選択を完了、即ち、選択した測定エリアＲ１を確定する。
【００３９】
図４（ｂ）の例では、十字キーを操作して、中央の測定エリアＲ１から、画面の左下の月Ｈの位置にある選択可能エリアＲ２を測定エリアＲ１として選択して、［ＳＥＴ］キーを操作して確定する。その結果、図４（ｃ）に示すように、月Ｈを範囲内に含んだ測定エリアＲ１が表示されることとなる。
【００４０】
その後、さらに、所定の操作（本実施形態においては、レリーズボタンへの操作）を行うことで、撮影が開始されるように構成される。
【００４１】
なお、「撮影シーン：月」とは、移行方式が「手動」と異なる「撮影シーン：花」の場合には、手動で、測定範囲位置変更画面へ移行するように構成される。
具体的には、「撮影シーン：花」の場合には、ライブビュー画面から、所定の操作（本実施形態においては、十字キー［＜］の操作）を行うことで、手動で、測定範囲位置変更画面へ移行する。その後、「撮影シーン：月」の場合と同様に、操作を行って、任意の測定範囲と測定位置に変更することができるように構成される。
また、「撮影シーン：花」の場合には、ライブビュー画面から、測定範囲位置変更画面への移行と、測定範囲と測定位置の変更を同一の操作子（本実施形態においては、十字キー）で行うことができる。
【００４２】
図２に戻り、画像記憶部７２には、撮影処理によって取得された撮影画像が記憶される。本実施形態においては、画像記憶部７２には、撮影処理によって、インターバル撮影により撮影された撮影画像と、１枚の撮影により撮影された撮影画像の画像が記憶される。
【００４３】
撮影処理部５１は、インターバル撮影又は１枚の撮影で、撮影シーンに合わせた撮影処理を実行する。
「撮影処理」とは、設定された測定範囲と測定位置で、ＡＦ値及びＡＥ値を測定し、当該測定したＡＦ値及びＡＥ値で撮影を行うまでの処理である。また、撮影処理では、インターバル撮影の場合には、初回に測定したＡＦ値及びＡＥ値を維持して、以降の撮影を行うように構成される。
具体的には、撮影処理部５１は、設定された位置での測定範囲で、撮像部１６を制御してＡＦ及びＡＥを行って、撮影を行う。また、撮影処理部５１は、インターバル撮影の場合には、初回のＡＦ値及びＡＥ値で、以降の撮影を行うように撮像部１６を制御する。
【００４４】
また、撮影処理部５１は、例えば、入力部１７に対する撮影シーンを選択する操作、レリーズ操作、撮影終了操作等の各種操作を検出する。
【００４５】
表示制御部５２は、出力部１８における表示出力を制御する。詳細には、表示制御部５２は、図４（ａ）乃至（ｃ）に示すようなライブビュー画面や測定範囲位置変更画面を表示出力するように出力部１８を制御する。
具体的には、表示制御部５２は、ライブビュー画面へ移行し、撮影情報記憶部７１に記憶されている位置（例えば、前回の位置や中央の位置）に測定範囲を配置したり、移行の要否を判別したり、図４（ａ）に示すライブビュー画面から図４（ｂ）に示す測定範囲位置変更画面へ画面を切り替えたりするように出力部１８を制御する。
【００４６】
状態移行判別処理部５３は、状態移行判別処理を実行する。
「状態移行判別処理」とは、月の捕捉の有無を推定し、ライブビュー画面から状態移行画面への移行の要否を判別するまでの処理である。
具体的には、状態移行判別処理部５３は、撮影設定テーブル参照結果に基づいて、移行方式等の判定を行う。また、状態移行判別処理部５３は、入力部１７に対して、十字キー［＜］の操作等の検出を行う。また、状態移行判別処理部５３は、現在の測定範囲位置でＡＦ、ＡＥするように撮像部１６を制御する。その結果、状態移行判別処理部５３は、取得されるＡＦ値、ＡＥ値を判定して、月の捕捉の有無を判定する。月の捕捉の有無は、具体的には、ＡＦが定まっていない状態か、所定の閾値（真っ黒であるとされる値）未満の状態であるかをもって行う。
【００４７】
測定範囲位置変更処理部５４は、測定範囲位置変更処理を実行する。
「測定範囲位置変更処理」とは、設定された測定範囲及び測定位置で被写体を検出し、被写体が検出できなかった場合には、ユーザの操作により、測定範囲及び測定位置を変更するまでの処理である。
具体的には、測定範囲位置変更処理部５４は、公知の画像解析の手法を用いて、被写体の検出を行う。また、測定範囲位置変更処理部５４は、例えば、入力部１７に対する測定範囲の移動をするための十字キーの操作、［ＳＥＴ］操作等の各種操作を検出する。また、測定範囲位置変更処理部５４は、測定範囲位置を確定した測定範囲位置に変更して更新する。
【００４８】
図５は、図２の機能的構成を有する図１の撮像装置が実行する撮影シーン別撮影処理の流れを説明するフローチャートである。
撮影シーン別撮影処理は、ユーザによる入力部１７への撮影シーン別撮影処理開始の操作により開始される。
【００４９】
ステップＳ１１において、撮影処理部５１は、撮影シーン選択する。即ち、撮影処理部５１は、入力部１７に対する撮影シーンを選択する操作を検出する。その結果、撮影シーンが選択される。
【００５０】
ステップＳ１２において、撮影処理部５１は、選択された撮影シーンに基づいて、撮影設定テーブルを参照する。具体的には、撮影処理部５１は、図３に示す撮影設定テーブルを参照して、例えば、［撮影シーン：月／インターバル撮影］である場合には、［測定方式：スポット］・［移行方式：自動］のパラメータが参照されることとなる。
【００５１】
ステップＳ１３において、撮影処理部５１は、スポット測定であるか否かを判定する。具体的には、撮影処理部５１は、図３に示す撮影設定テーブルにおいて［測定方式：スポット］であるか否かを判定する。
スポット測定である場合には、ステップＳ１３においてＹＥＳと判定されて、処理はステップＳ１５に進む。ステップＳ１５以降の処理については、後述する。
スポット測定でない場合には、ステップＳ１３においてＮＯと判定されて、処理はステップＳ１４に進む。
【００５２】
ステップＳ１４において、撮影処理部５１は、その他の撮影シーンに応じた処理を実行する。具体的には、例えば、［測定方式：スポット］でない［撮影シーン：標準／１枚撮影］である場合には、撮影処理部５１は、［測定方式：中央重点］で、撮影処理が実行され、処理を終了する。
【００５３】
ステップＳ１５において、表示制御部５２は、ライブビュー画面へ移行し、撮影情報記憶部７１に記憶されている位置（例えば、前回の位置や画面中央の位置）に測定範囲を配置するように出力部１８を制御する。
【００５４】
ステップＳ１６において、状態移行判別処理部５３は、状態移行判別処理を実行する。
その結果、状態移行を移行すべきか否かの判別結果が出力される。なお、状態移行判別処理の詳細な流れについては、後述する。
【００５５】
ステップＳ１７において、表示制御部５２は、測定範囲位置変更画面への移行が必要と判別したか否かを判定する。即ち、表示制御部５２は、状態移行判別処理の結果を判定する。
測定範囲位置変更画面への移行が必要と判別していない場合には、ステップＳ１７においてＮＯと判定されて、処理はステップＳ２０に進む。ステップＳ２０以降の処理については、後述する。
測定範囲位置変更画面への移行が必要と判別した場合には、ステップＳ１７においてＹＥＳと判定されて、処理はステップＳ１８に進む。
【００５６】
ステップＳ１８において、表示制御部５２は、測定範囲位置変更画面へ移行する。具体的には、表示制御部５２は、図４（ａ）に示すライブビュー画面から図４（ｂ）に示す測定範囲位置変更画面へ画面を切り替える。
【００５７】
ステップＳ１９において、測定範囲位置変更処理部５４は、測定範囲位置変更処理を実行する。その結果、測定範囲と測定位置が設定される。なお、測定範囲位置変更処理の詳細な流れについては後述する。
【００５８】
ステップＳ２０において、撮影処理部５１は、レリーズ操作を検出する。即ち、撮影処理部５１は、入力部１７に対する撮影処理を開始する操作を検出する。
【００５９】
ステップＳ２１において、撮影処理部５１は、撮影処理を実行する。その結果、撮影画像が取得されて、画像記憶部７２に記憶される。なお、撮影処理の詳細な流れについては、後述する。
【００６０】
ステップＳ２２において、撮影処理部５１は、撮影終了操作を検出する。即ち、撮影処理部５１は、入力部１７に対する撮影を終了する操作を検出する。
その後、撮影シーン別撮影処理は終了する。
【００６１】
図６は、撮影シーン別撮影処理のうち、状態移行判別処理の流れを説明するフローチャートである。
【００６２】
ステップＳ４１において、状態移行判別処理部５３は、移行方式は手動であるか否かを判定する。具体的には、状態移行判別処理部５３は、図３に示す撮影設定テーブルにおいて［移行方式：手動］であるか否かを判定する。
移行方式は手動でない場合には、ステップＳ４１においてＮＯと判定されて、処理はステップＳ４３に進む。ステップＳ４３以降の処理は後述する。
移行方式は手動である場合には、ステップＳ４１においてＹＥＳと判定されて、処理はステップＳ４２に進む。
【００６３】
ステップＳ４２において、状態移行判別処理部５３は、［＜］操作を検出したか否かを判定する。即ち、状態移行判別処理部５３は、入力部１７に対して、十字キー［＜］の操作を検出したか否かを判定する。
［＜］操作を検出した場合には、ステップＳ４２においてＹＥＳと判定されて、処理はステップＳ４７に進む。ステップＳ４７以降の処理は後述する。
［＜］操作を検出していない場合には、ステップＳ４２においてＮＯと判定されて、処理はステップＳ４６に進む。
【００６４】
ステップＳ４３において、状態移行判別処理部５３は、現在の測定範囲位置でＡＦ、ＡＥする。状態移行判別処理部５３は、現在の測定範囲位置でＡＦ、ＡＥを行うように撮像部１６を制御する。
【００６５】
ステップＳ４４において、状態移行判別処理部５３は、ＡＦが不定、或いはＡＥ結果が所定の輝度値未満であるか否かを判定する。即ち、状態移行判別処理部５３は、ＡＦの結果、フォーカスが定まらない状態（合焦しない状態）であったり、ＡＥ値が閾値である輝度値を下回っていたりする状態（真っ暗だった状態）か否かを判定する。
ＡＦが不定、或いはＡＥ結果が所定の輝度値未満である場合には、ステップＳ４４においてＹＥＳと判定されて、処理はステップＳ４５に進む。
【００６６】
ステップＳ４５において、状態移行判別処理部５３は、月を捕捉していないと推測する。即ち、状態移行判別処理部５３は、合焦していないか、真っ暗であるかしているため、月を捕捉していないと推測する。
【００６７】
これに対して、ＡＦが不定、或いはＡＥ結果が所定の輝度値未満でない場合には、ステップＳ４４においてＮＯと判定されて、処理はステップＳ４６に進む。
【００６８】
ステップＳ４６において、状態移行判別処理部５３は、測定範囲位置変更画面への移行が不要と判別する。即ち、状態移行判別処理部５３は、［移行方式：手動］であって、［＜］操作が検出されていない、或いは［移行方式：自動］であって、合焦しており、真っ暗でないため、月を捕捉していると推測して、測定範囲位置変更画面への移行が不要であると判別する。
【００６９】
ステップＳ４７において、状態移行判別処理部５３は、測定範囲位置変更画面への移行が必要と判別する。即ち、状態移行判別処理部５３は、［移行方式：手動］であって、［＜］操作が検出されたり、［移行方式：自動］であって、月を捕捉していないと推測されたりしたため、測定範囲位置変更画面への移行が必要であると判別する。
その後、処理は撮影シーン別撮影処理に戻る。
【００７０】
図７は、撮影シーン別撮影処理のうち、測定範囲位置変更処理の流れを説明するフローチャートである。
【００７１】
ステップＳ６１において、測定範囲位置変更処理部５４は、自動検出を行う設定であるか否かを判定する。
自動検出を行う設定でない場合には、ステップＳ６１においてＮＯと判定されて、処理はステップＳ６４に進む。ステップＳ６４以降の処理は後述する。
自動検出を行う設定である場合には、ステップＳ６１においてＹＥＳと判定されて、処理はステップＳ６２に進む。
【００７２】
ステップＳ６２において、測定範囲位置変更処理部５４は、対象の被写体を検出する。即ち、測定範囲位置変更処理部５４は、公知の画像解析を用いて、対象の被写体を検出する。
【００７３】
ステップＳ６３において、測定範囲位置変更処理部５４は、被写体が検出できたか否かを判定する。
被写体が検出できた場合には、ステップＳ６３においてＹＥＳと判定されて、処理は撮影シーン別撮影処理に戻る。
被写体が検出できない場合には、ステップＳ６３においてＮＯと判定されて、処理はステップＳ６４に進む。
【００７４】
ステップＳ６４において、測定範囲位置変更処理部５４は、十字キー操作を検出したか否かを判定する。即ち、測定範囲位置変更処理部５４は、入力部１７に対する測定範囲の移動をするための十字キーの操作を検出したか否かを判定する。
十字キー操作を検出しない場合には、ステップＳ６４においてＮＯと判定されて、処理はステップＳ６６に進む。ステップＳ６６以降の処理は後述する。
十字キー操作を検出した場合には、ステップＳ６４においてＹＥＳと判定されて、処理はステップＳ６５に進む。
【００７５】
ステップＳ６５において、測定範囲位置変更処理部５４は、十字キーへの操作結果に基づいて、測定範囲の移動を行う。具体的には、図４（ｂ）に示す測定範囲位置変更画面において、測定エリアＲ１を移動させて、月Ｈの属する選択予定エリアＲ２に移動させる。
【００７６】
ステップＳ６６において、測定範囲位置変更処理部５４は、［ＳＥＴ］操作を検出したか否かを判定する。即ち、測定範囲位置変更処理部５４は、入力部１７に対する［ＳＥＴ］キーの操作を検出する。
［ＳＥＴ］操作を検出しない場合には、ステップＳ６６においてＮＯと判定されて、処理はステップＳ６４に戻る。
［ＳＥＴ］操作を検出した場合には、ステップＳ６６においてＹＥＳと判定されて、処理はステップＳ６７に進む。
【００７７】
ステップＳ６７において、測定範囲位置変更処理部５４は、［ＳＥＴ］キーの操作に基づいて、測定範囲位置を確定する。
【００７８】
ステップＳ６８において、測定範囲位置変更処理部５４は、記憶測定範囲位置を更新する。即ち、測定範囲位置変更処理部５４は、撮影情報記憶部７１に記憶されている測定範囲位置を確定した測定範囲位置に変更して更新する。
その後、処理は撮影シーン別撮影処理に戻る。
【００７９】
図８は、撮影シーン別撮影処理のうち、撮影処理の流れを説明するフローチャートである。
【００８０】
ステップＳ８１において、撮影処理部５１は、現在位置の測定範囲でＡＦ及びＡＥを行う。具体的には、撮影処理部５１は、図４（ｃ）の位置の測定範囲でＡＦ及びＡＥを行って、その結果、撮影処理部５１は、現在位置の測定範囲でＡＦ値及びＡＥ値を取得する。
【００８１】
ステップＳ８２において、撮影処理部５１は、撮像部１６を制御して測定したＡＦ値及びＡＥ値で撮影処理を実行する。その後、撮影処理部５１は、取得した撮影画像を画像記憶部７２に記憶させる。
【００８２】
ステップＳ８３において、撮影処理部５１は、インターバル撮影であるか否かを判定する。即ち、撮影処理部５１は、参照した撮影設定テーブルにおける［撮影シーン］から、インターバル撮影であるか否かを判定する。
インターバル撮影でない場合には、ステップＳ８３においてＮＯと判定されて、処理は撮影シーン別撮影処理に戻る。
インターバル撮影である場合には、ステップＳ８３においてＹＥＳと判定されて、処理はステップＳ８４に進む。
【００８３】
ステップＳ８４において、撮影処理部５１は、測定ＡＦ、ＡＥ値を初期値として記憶する。撮影処理部５１は、撮影情報記憶部７１に撮影で用いた測定ＡＦ、ＡＥ値を、以降のインターバル撮影用に初期値として記憶させる。
【００８４】
ステップＳ８５において、撮影処理部５１は、設定撮影間隔を経過するか否かを判定する。
設定撮影間隔を経過した場合には、ステップＳ８５においてＹＥＳと判定されて、処理はステップＳ８６に進む。
設定撮影間隔を経過しない場合には、ステップＳ８５においてＮＯと判定されて、処理はステップＳ８５に戻る。
【００８５】
ステップＳ８６において、撮影処理部５１は、撮影情報記憶部７１に記憶されている初期値のＡＦ、ＡＥ値で撮影処理を実行する。その後、撮影処理部５１は、取得した撮影画像を画像記憶部７２に記憶させる。
【００８６】
ステップＳ８７において、撮影処理部５１は、設定撮影回数を撮影したか否かを判定する。
設定撮影回数を撮影していない場合には、ステップＳ８７においてＮＯと判定されて、処理はステップＳ８５に戻る。
設定撮影回数を撮影した場合には、ステップＳ８７においてＹＥＳと判定されて、処理は撮影シーン別撮影処理に戻る。
したがって、撮像装置１では、適切な設定を簡単に選べるＵＩ（撮影シーンの選択と、フォーカス位置の選択）を組み合わせたことで、難しい設定なしに月の撮影を行うことができる。
【００８７】
以上のように構成される撮像装置１は、撮影処理部５１と、状態移行判別処理部５３と、表示制御部５２と、を備える。
撮影処理部５１は、自動フォーカス調整又は自動露出調整のための測定方式を特定する。
状態移行判別処理部５３は、特定した測定方式が、撮像画像内の限定した測定範囲に対して測定を行うスポット測定である場合に、所定の条件を満たすか否かに応じて、ライブビュー画像を表示している状態から、当該限定した測定範囲を変更可能とする状態へ移行が必要であるか否かを判別する。
表示制御部５２は、移行が必要であると判別された場合に、限定した測定範囲を変更可能とする状態へ移行する処理を行う。
これにより、撮像装置１においては、スポット測定でのフォーカス調整又は露出調整が適切な場合に、測定範囲の変更の要否を適切に判別することができる。よって、撮像装置１においては、測定方式を適切に制御して、撮影シーンに適した撮影を行うことができる。
【００８８】
また、撮像装置１は、測定範囲を変更可能とする状態における当該測定範囲を変更する測定範囲位置変更処理部５４を更に備える。
これにより、撮像装置１においては、測定範囲の変更を行うことができる。
【００８９】
また、撮像装置１では、ライブビュー画像を表示している状態において、限定した測定範囲が所定の初期位置に配置される。
測定範囲位置変更処理部５４は、初期位置に配置された限定した測定範囲を変更する。
これにより、撮像装置１においては、初期位置から測定範囲の変更を行うことができる。
【００９０】
また、撮像装置１において、所定の条件は、測定範囲を変更可能とする状態における当該測定範囲を変更する操作子と共通の操作子の操作が行われたか否かである。
状態移行判別処理部５３は、操作子と共通の操作子の操作が行われた場合に、移行が必要であると判別する。
これにより、撮像装置１においては、例えば、ライブビュー画像の表示状態から測定範囲の変更可能状態への移行操作が、測定範囲の変更操作子（十字キー）と共通の操作子による操作で行うことができる。
【００９１】
また、測定範囲位置変更処理部５４は、ライブビュー画像を表示している状態において、特定した測定方式により自動フォーカス調整又は自動露出調整を行う。
また、撮像装置１において、所定の条件は、調整した自動フォーカス調整の結果又は自動露出調整の結果から、測定範囲が所定の撮影対象を捕捉していないと推測されるか否かである。
状態移行判別処理部５３は、測定範囲が所定の撮影対象を捕捉していないと推測される場合に、移行が必要であると判別する。
これにより、撮像装置１においては、測定範囲が所定の撮影対象を捕捉していないと推測される場合に、移行が必要であると判別するために、測定範囲の変更の要否を適切に判別することができる。
【００９２】
また、撮像装置１において、所定の撮影対象は、夜間における輝度値の高い物体である。
状態移行判別処理部５３は、測定範囲における自動フォーカス調整の結果が不定である、又は自動露出調整の結果が所定の輝度値未満であると判別された場合に、所定の撮影対象を捕捉していないと推測し、移行しないと判別する。
これにより、撮像装置１においては、できる。
【００９３】
測定範囲位置変更処理部５４は、測定範囲を変更可能とする状態において、所定の撮影対象を検出する。
また、測定範囲位置変更処理部５４は、検出された位置に測定範囲を変更する。
これにより、撮像装置１においては、自動で測定範囲を変更することができる。
【００９４】
また、撮像装置１は、所定の撮影対象に適切な撮影条件が設定される撮影シーンと測定方式とが予め対応付けて記憶されている撮影情報記憶部７１を更に備える。
撮影処理部５１は、撮影シーンが特定された場合に、特定された撮影シーンに応じて、記憶されている測定方式を特定する。
これにより、撮像装置１においては、予め撮影シーン毎に測定方式を設定しておくことができる。
【００９５】
また、撮影情報記憶部７１は撮影実行時における測定範囲の位置を記憶する。
次回の撮影時の測定範囲の初期位置を、撮影情報記憶部７１に記憶されている位置とする。
これにより、撮像装置１においては、過去の撮影の傾向を利用することができる。
【００９６】
また、撮像装置１は、撮影処理部５１と、状態移行判別処理部５３と、表示制御部５２と、を備える。
撮影処理部５１は、所定の撮影対象に適切な撮影条件が設定される撮影シーンを特定する。
状態移行判別処理部５３は、フォーカス調整又は露出調整ための測定方式が、撮像画像内の限定した測定範囲に対して測定を行うスポット測定である場合に、ライブビュー画像を表示している状態から、当該限定した測定範囲を変更可能とする状態へ、特定した撮影シーンに応じて、手動で移行するか又は自動で移行するかの移行方式を判別する。
表示制御部５２は、判別結果に応じて、限定した測定範囲を変更可能とする状態へ移行する処理を行う。
これにより、撮像装置１においては、スポット測定でのフォーカス調整又は露出調整が適切な撮影シーンである場合に、測定範囲の変更可能状態への移行を手動で行うか自動で行うかを適切に判別できる。
【００９７】
また、撮像装置１は、撮影シーン、測定方式と移行方式とが予め対応付けて記憶されている撮影情報記憶部７１を更に備える。
状態移行判別処理部５３は、撮影処理部５１により特定した撮影シーンに応じて、記憶されている移行方式を判別する。
これにより、撮像装置１においては、予め撮影シーン毎に移行方式を設定しておくことができる。
【００９８】
なお、本発明は、上述の実施形態に限定されるものではなく、本発明の目的を達成できる範囲での変形、改良等は本発明に含まれるものである。
【００９９】
上述の実施形態では、十字キーの［＜（左）］キーをライブビュー画面から測定範囲位置変更画面へ移行のための操作キーとし、十字キーの［＜（左）］［＞（右）］［∧（上）］［∨（下）］キーを測定範囲位置の変更のための操作キーとするように構成したが、これに限られない。十字キーの［＜（左）］［＞（右）］［∧（上）］［∨（下）］キーの全てで測定範囲位置変更画面へ移行してもよく、少なくとも、ライブビュー画面から測定範囲位置変更画面へ移行のための操作子と、測定範囲位置の変更のための入力手段とが同一種類の操作子（例えば、操作キー）であればよい。
【０１００】
また、上述の実施形態では、測定範囲位置の変更のための操作キーは、十字キー等の物理キーで構成したが、タッチパネルを搭載してソフトウェアキーで構成するようにしてもよい。
【０１０１】
また、上述の実施形態では、測定範囲位置の設定を自動で行うようにも構成したが、測定範囲位置の設定の後の撮影動作までを自動で行うように構成してもよい。
【０１０２】
また、上述の実施形態では、月が測定エリアに位置しているか否かを自動で判定するように構成したが、ユーザの目視で判断させて手動で測定エリアの再設定を行うように構成してもよい。
【０１０３】
また、上述の実施形態では、ユーザが撮影シーンを選択するように構成したが、ライブビュー画像を公知の技術を使用して解析する等で撮影シーンを自動で判別するように構成してもよい。
【０１０４】
また、上述の実施形態では、測定範囲の位置は記憶せず、毎回、例えば、ライブビュー画面中央といった所定の初期位置とするように構成してもよい。
【０１０５】
また、上述の実施形態では、本発明が適用される撮像装置１は、デジタルカメラを例として説明したが、特にこれに限定されない。
例えば、本発明は、撮影シーン別撮影処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【０１０６】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能が撮像装置１に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
【０１０７】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【０１０８】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部１９に含まれるハードディスク等で構成される。
【０１０９】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【０１１０】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【０１１１】
以下に、本願の出願当初の特許請求の範囲に記載された発明を付記する。
［付記１］
自動フォーカス調整又は自動露出調整のための測定方式を特定する測定方式特定手段と、
前記特定した測定方式が、撮影画像内の限定した測定範囲に対して測定を行うスポット測定である場合に、所定の条件を満たすか否かに応じて、ライブビュー画像を表示している状態から、当該限定した測定範囲を変更可能とする状態へ移行が必要であるか否かを判別する判別手段と、
移行が必要であると判別された場合に、前記限定した測定範囲を変更可能とする状態へ移行する処理を行う状態移行手段と、
を備えることを特徴とする撮像装置。
［付記２］
前記測定範囲を変更可能とする状態における当該測定範囲を変更する変更手段を更に備えることを特徴とする付記１に記載の撮像装置。
［付記３］
前記ライブビュー画像を表示している状態において、前記限定した測定範囲が所定の初期位置に配置され、
前記変更手段は、前記初期位置に配置された前記限定した測定範囲を変更する、
ことを特徴とする付記２に記載の撮像装置。
［付記４］
前記所定の条件は、前記変更手段で使用される操作子と共通の操作子の操作が行なわれたか否かであって、
前記判別手段は、前記操作子と共通の操作子の操作が行なわれた場合に、移行が必要であると判別する、
ことを特徴とする付記２又は３に記載の撮像装置。
［付記５］
ライブビュー画像を表示している状態において、特定した前記測定方式により自動フォーカス調整又は自動露出調整を行う調整手段を更に備え、
前記所定の条件は、調整した前記自動フォーカス調整の結果又は前記自動露出調整の結果から、前記測定範囲が所定の撮影対象を捕捉していないと推測されるか否かであって、
前記判別手段は、前記測定範囲が前記所定の撮影対象を捕捉していないと推測される場合に、移行が必要であると判別する、
ことを特徴とする付記１乃至３のいずれか１つに記載の撮像装置。
［付記６］
前記所定の撮影対象は、夜間における輝度値の高い物体であって、
前記判別手段は、前記測定範囲における前記自動フォーカス調整の結果が不定である、又は前記自動露出調整の結果が所定の輝度値未満であると判別された場合に、前記所定の撮影対象を捕捉していないと推測し、移行が必要であると判別する、
ことを特徴とする付記５に記載の撮像装置。
［付記７］
前記測定範囲を変更可能とする状態において、前記所定の撮影対象を検出する検出手段を更に備え、
前記調整手段は、前記検出手段によって検出された位置に前記測定範囲を変更する、
ことを特徴とする付記５又は６に記載の撮像装置。
［付記８］
所定の撮影対象に適切な撮影条件が設定される撮影シーンと前記測定方式とが予め対応付けて記憶されている測定方式記憶手段を更に備え、
前記測定方式特定手段は、前記撮影シーンが特定された場合に、前記特定された撮影シーンに応じて、記憶されている前記測定方式を特定する、
ことを特徴とする付記１乃至７のいずれか１つに記載の撮像装置。
［付記９］
撮影実行時における測定範囲の位置を記憶する位置記憶手段を更に備え、
次回の撮影時の測定範囲の初期位置を、前記位置記憶手段に記憶されている前記位置とする、
ことを特徴とする付記１乃至８のいずれか１つに記載の撮像装置。
［付記１０］
所定の撮影対象に適切な撮影条件が設定される撮影シーンを特定する撮影シーン特定手段と、
フォーカス調整又は露出調整ための測定方式が、撮影画像内の限定した測定範囲に対して測定を行うスポット測定である場合に、ライブビュー画像を表示している状態から、当該限定した測定範囲を変更可能とする状態へ、特定した前記撮影シーンに応じて、手動で移行するか又は自動で移行するかの移行方式を判別する判別手段と、
前記判別手段による判別結果に応じて、前記限定した測定範囲を変更可能とする状態へ移行する処理を行う状態移行手段と、
を備えることを特徴とする撮像装置。
［付記１１］
前記撮影シーン、前記測定方式と前記移行方式とが予め対応付けて記憶されている移行方式記憶手段を更に備え、
前記判別手段は、前記撮影シーン特定手段により特定した前記撮影シーンに応じて、記憶されている移行方式を判別する、
を備えることを特徴とする付記１０に記載の撮像装置。
［付記１２］
撮像装置で実行される撮像方法であって、
自動フォーカス調整又は自動露出調整のための測定方式を特定する測定方式特定ステップと、
特定した測定方式が、撮影画像内の限定した測定範囲に対して測定を行うスポット測定である場合に、所定の条件を満たすか否かに応じて、ライブビュー画像を表示している状態から、当該限定した測定範囲を変更可能とする状態へ移行が必要であるか否かを判別する判別ステップと、
移行が必要であると判別された場合に、前記限定した測定範囲を変更可能とする状態へ移行する処理を行う状態移行ステップと、
を含むことを特徴とする撮像方法。
［付記１３］
撮像装置を制御するコンピュータを、
自動フォーカス調整又は自動露出調整のための測定方式を特定する測定方式特定機能と、
特定した測定方式が、撮影画像内の限定した測定範囲に対して測定を行うスポット測定である場合に、所定の条件を満たすか否かに応じて、ライブビュー画像を表示している状態から、当該限定した測定範囲を変更可能とする状態へ移行が必要であるか否かを判別する判別機能と、
移行が必要であると判別された場合に、前記限定した測定範囲を変更可能とする状態へ移行する処理を行う状態移行機能と、
を実行させることを特徴とするプログラム。
［付記１４］
撮像装置で実行される撮像方法であって、
所定の撮影対象に適切な撮影条件が設定される撮影シーンを特定する撮影シーン特定ステップと、
フォーカス調整又は露出調整ための測定方式が、撮影画像内の限定した測定範囲に対して測定を行うスポット測定である場合に、ライブビュー画像を表示している状態から、当該限定した測定範囲を変更可能とする状態へ、特定した前記撮影シーンに応じて、手動で移行するか又は自動で移行するかの移行方式を判別する判別ステップと、
前記判別ステップによる判別結果に応じて、前記限定した測定範囲を変更可能とする状態へ移行する処理を行う状態移行ステップと、
を含むことを特徴とする撮像方法。
［付記１５］
撮像装置を制御するコンピュータを、
所定の撮影対象に適切な撮影条件が設定される撮影シーンを特定する撮影シーン特定機能と、
フォーカス調整又は露出調整ための測定方式が、撮影画像内の限定した測定範囲に対して測定を行うスポット測定である場合に、ライブビュー画像を表示している状態から、当該限定した測定範囲を変更可能とする状態へ、特定した前記撮影シーンに応じて、手動で移行するか又は自動で移行するかの移行方式を判別する判別機能と、
前記判別機能による判別結果に応じて、前記限定した測定範囲を変更可能とする状態へ移行する処理を行う状態移行機能と、
を実行させることを特徴とするプログラム。
【符号の説明】
【０１１２】
１・・・撮像装置，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部，１９・・・記憶部，２０・・・通信部，２１・・・ドライブ，３１・・・リムーバブルメディア，５１・・・撮影処理部，５２・・・表示制御部、５３・・・状態移行判別処理部、５４・・・測定範囲位置変更処理部，７１・・・撮影情報記憶部，７２・・・画像記憶部
【図１】
2015211296.tif 000003
【図２】
2015211296.tif 000004
【図３】
2015211296.tif 000005
【図４】
2015211296.tif 000006
【図５】
2015211296.tif 000007
【図６】
2015211296.tif 000008
【図７】
2015211296.tif 000009
【図８】
2015211296.tif 000010